(57)【特許請求の範囲】
【請求項１】
底壁（２）外周から周壁（３）を起立する容器本体（１）と、該容器本体上面を閉塞する蓋体（21）とを、各後部で蓋体の起伏が自在に枢着させると共に、容器本体前部に横設した係合突条（６）下面へ、蓋体前部から垂設したフック（25）を離脱可能に係合させて蓋体の閉塞状態を保持可能に形成した蓋付き容器において、上記容器本体後部に、容器本体後壁（3a）の左右両側部から軸受け板部（４）、（４）を後方突設し、これ等軸受け板部間に、底板中心部から枢軸（14）を起立した回動箱（11）を位置させ、回動箱（11）の底板（12）外周から起立させた小周壁（13）における左右両壁部（13ａ）、（13ａ）と前記両軸受け板部（４）、（４）とをピン（15）、（15）で、開蓋方向への回動が可能に枢着嵌合させ、
上記蓋体後部から、左右側面の前後両部から弾性羽根板（24）を突出した回動筒（23）を垂下し、後方側の両弾性羽根板は回動箱の後壁内面へ、又前方側の両弾性羽根板は回動箱の前壁内面へ、それぞれ当接させ、前記回動筒（23）を上記枢軸（14）外面へ回動可能に嵌合させた弾性回動部を構成し、又蓋板（21）を各弾性羽根板（24）の弾性に抗して回動筒（23）を中心として回動箱（11）に対して左右いずれかの方向へ回動させることで、上記係合突条（６）に対するフック（25）の係合を離脱可能に構成したことを特徴とする蓋付き容器。
【請求項２】
各弾性羽根板（24）の先端だけを、回動箱左右両側壁部（13）、（13ａ）の各内面へ当接させたことを特徴とする請求項１記載の蓋付き容器。
【請求項３】
上記軸受け板部（４）と回動箱の小周壁とを枢着するピン（15）部分外面へ、回動箱（11）を開蓋方向へ付勢するヒゲ付きコイルバネ（16）を装着させたことを特徴とする、請求項１又は２記載の蓋付き容器。
【請求項４】
容器本体前壁（3b）の前面を、枢軸（14）の中心軸線から上記前壁（3b）前面までを曲率半径とする弯曲面に形成し、該前面に沿って蓋体（21）前部から、蓋体水平回動用の押圧板（26）を垂設したことを特徴とする、請求項１、２又は３記載の蓋付き容器。
【発明の詳細な説明】
【０００１】
【発明の属する技術分野】
本発明は例えば化粧用のコンパクト容器等の蓋付き容器に関する。
【０００２】
【従来の技術】
底壁外周から周壁を起立する容器本体と、該容器本体上面を閉塞する蓋体とを、各後部で蓋体の起伏が自在に枢着させると共に、容器本体前部に横設した係合突条下面へ、蓋体前部から垂下するフックを離脱可能に係合させて蓋体の閉塞状態を保持可能に形成した蓋付き容器が広く一般に用いられている。
【０００３】
【発明が解決しようとする課題】
上記従来の容器は、通常容器本体前壁に装着させた押釦の押込み等でフックを係合突条下面から外して、蓋体を容器本体に対する閉蓋位置からそのまま後部の枢着部を中心とする回動で、開蓋するよう設けているが、このような開蓋操作を異る操作で開蓋するよう設ければ、容器に独自性を持たせることが出来、従って消費者の満足感も満たすことが出来る。
【０００４】
本発明はこのような目的の下に従来と異る操作で容易に開蓋可能としたものである。
【０００５】
【課題を解決するための手段】
第１の手段として、底壁２外周から周壁３を起立する容器本体１と、該容器本体上面を閉塞する蓋体21とを、各後部で蓋体の起伏が自在に枢着させると共に、容器本体前部に横設した係合突条６下面へ、蓋体前部から垂設したフック25を離脱可能に係合させて蓋体の閉塞状態を保持可能に形成した蓋付き容器において、上記容器本体後部に、容器本体後壁3aの左右両側部から軸受け板部４、４を後方突設し、これ等軸受け板部間に、底板中心部から枢軸14を起立した回動箱11を位置させ、回動箱11の底板12外周から起立させた小周壁13における左右両壁部13ａ、13ａと前記両軸受け板部４、４とをピン15、15で、開蓋方向への回動が可能に枢着嵌合させ、
上記蓋体後部から、左右側面の前後両部から弾性羽根板24を突出した回動筒23を垂下し、後方側の両弾性羽根板は回動箱の後壁内面へ、又前方側の両弾性羽根板は回動箱の前壁内面へ、それぞれ当接させ、前記回動筒23を上記枢軸14外面へ回動可能に嵌合させた弾性回動部を構成し、又蓋板21を各弾性羽根板24の弾性に抗して回動筒23を中心として回動箱11に対して左右いずれかの方向へ回動させることで、上記係合突条６に対するフック25の係合を離脱可能に構成した。
【０００６】
第２の手段として、上記第１の手段を有すると共に各弾性羽根板24の先端だけを、回動箱左右両側壁部13a,13a の各内面へ当接させた。
【０００７】
第３の手段として、上記軸受け板部４と回動箱の小周壁とを枢着するピン15部分外面へ、回動箱11を開蓋方向へ付勢するヒゲ付きコイルバネ16を装着させた。
【０００８】
第４の手段として、容器本体前壁3bの前面を、枢軸14の中心軸線から上記前壁3b前面までを曲率半径とする弯曲面に形成し、該前面に沿って蓋体21前部から、蓋体水平回動用の押圧板26を垂設した。
【０００９】
【発明の実施の形態】
以下図面について説明すると、１は容器本体で、該容器本体は底壁２外周から周壁３を起立し、その後壁3aの左右両側部からは軸受け板部４、４を後方突出する。これ等板部はピン差込み孔を有する。又前壁3b上面の中央部には左右方向に長く、中間部を前方へ張出した形状の弯曲長孔５を穿設し、かつその後面上部の左右方向中間には後述するフック係合用の係合突条６を横設している。又前壁3b前面も中間部が前方へ張出す弯曲面に形成している。その曲率および理由については後述する。
【００１０】
上記軸受け板部４、４間へは回動箱11を枢着させている。該箱は底板12外周から小周壁13を、又底板12中央部からは枢軸14を、それぞれ起立し、又左右側壁13a 、13a には枢着用ピン穴を穿設している。枢軸14の上端外周には後述の回動筒の抜出し防止突条を周設する。該回動箱は、図５、図６、図７が示すようにピン15、15によって軸受け板部４、４間に嵌合させて枢着するからヒゲ付きコイルバネ16によって開蓋方向、つまり枢軸14が上後方を通って後方へ向くよう付勢させている。
【００１１】
21は蓋体で、その下面には鏡22を貼着させ、蓋体後部から、既述枢軸14外面へ回動可能に嵌合させて回動筒23を垂下する。その回動筒の左右側面の前後両部からは図５が示すように弾性羽根板24を突出して後方側の二枚の羽根板先端は回動箱の後壁内面へ、又前方側の二枚の羽根板先端は回動箱前壁の内面へ、それぞれ当接させている。それ等回動筒23と弾性羽根板24とは弾性回動部を形成し、容器本体および回動箱11に対して蓋体21は回動筒23を中心として左右両方向へ、弾性羽根板の弾性に抗して回動可能とする。
【００１２】
又蓋体前部からは、フック25を垂下させて既述弯曲長孔５内へ挿入させ、係合突条６下面へ係合させている。更に蓋体前面の左右方向中間部からは押圧板26を垂下し、その後面を容器本体前壁3bの前面に沿って垂下させている。
【００１３】
既述容器本体前壁3b前面の弯曲面は、既述回動箱11の枢軸14の中心軸線から、上記前壁前面までの距離を曲率半径とし、又弯曲長孔の後縁も上記中心軸線から弯曲長孔の上端後縁までの距離を曲率半径とする。
【００１４】
このようにすることで、図１が示す蓋体閉塞状態から、容器本体に対して上記押圧板を左右いずれかの方向へ移動させることで、係合突条６下面からフック25が外れ、開蓋させることが出来、又その開蓋途中において弾性羽根板24、24の弾性復元で蓋体21は本来の軌道位置、即ち容器本体後部と蓋体後部との枢着部分を中心とする蓋体回動の軸道上に復帰して開蓋する。閉蓋の際は、上記枢着部分を中心とする蓋体回動で閉塞すればよく、そのようにするとフック25が係合突条６を強制乗越えしてその下面へ係合する。
【００１５】
上記各部材のうち、容器本体１と、蓋体21と、回動箱11とは、それぞれ合成樹脂材で成形している。
【００１６】
【発明の効果】
本発明は既述構成とするもので、容器本体に対して蓋体21を左右いずれかの方向へ回動させることで容器本体が有する係合突条６下面から、蓋体前部から垂下して係合突条下面へ係合するフック25を外すこととなり、従来と異る操作で開蓋するから、独自の容器とすることが出来、消費者の要望に応ずることが出来る。又容器本体後壁の左右両部から後方突出させた軸受け板部４、４間に、底板中心部から枢軸14を起立する回動箱11を嵌合させて、該回動箱の左右両側壁部と上記軸受け板部とを枢着させ、かつ蓋体後部から上記枢軸14外面へ回動可能に嵌合させて回動筒23を垂下し、該回動筒左右側面の前後両部から突出した弾性羽根板を、その後方側の羽根板は回動箱の後壁内面へ、前方側の羽根板は回動箱前壁の内面へ、それぞれ当接させたから、蓋体21を容器本体に対して左右両方向へ回動が出来、しかも容器体に対しての起伏が自在に形成することが容易である。
【００１７】
請求項２項のようにすることで、各弾性羽根板24の長さが大となり、弾性を高めることが出来る。
【００１８】
請求項３のようにすることで、蓋体を開蓋方向へ付勢できる便利がある。
【００１９】
請求項４のようにすることで、容器の前部外見を向上できると共に押圧板26を介して蓋体前部を容器本体に対して左右方向へずらすことが容易となる。
【図面の簡単な説明】
【図１】  本発明容器の断面図である。
【図２】  図１容器の正面図である。
【図３】  図１容器の分解斜視図である。
【図４】  容器後部を、前後方向に切断して示す拡大断面図である。
【図５】  容器後部の拡大横断面図である。
【図６】  容器後部を左右方向へ切断して示す拡大断面図である。
【符号の説明】
４…軸受け板部            11…回動箱
14…枢軸                  23…回動筒
24…弾性羽根板
【図１】
0003865985.tif 000002
【図２】
0003865985.tif 000003
【図３】
0003865985.tif 000004
【図４】
0003865985.tif 000005
【図５】
0003865985.tif 000006
【図６】
0003865985.tif 000007